(57)【要約】【課題】合成樹脂製部分と金属製部分とに容易に分解することが出来、外部部材への取付け強度が良好である電気機器を提供する。【解決手段】プロジェクタのキャビネット２は合成樹脂製であり、キャビネット２の底板４の内面の略中央部に、円筒状のナット収納部５と、ナット収納部６とを備える。ナット固着板金１０は、矩形の四隅の裏面側にカシメ固着されたナット１０ｂを備える。ナット固着板金１０の４個のナット１０ｂがナット収納部５又はナット収納部６に遊嵌された状態で、固定ネジ１１により、ナット固着板金１０は底板４に固定されている。取付アダプタの当接部を底板４に当接させ、取付アダプタ側からネジを挿通させ、このネジをナット収納部５又はナット収納部６に遊嵌されたナット１０ｂに螺合させることにより、キャビネット２が取付アダプタに取付けられる。【選択図】図２
2007114408.tif 000002
【特許請求の範囲】
【請求項１】
合成樹脂製の筐体の内面側に、複数の金属製ナットを配して、外面側から外部部材をネジ止めする電気機器において、
前記複数の金属製ナットを一面に固定した板部材と、
該板部材を前記内面に固定する固定手段と
を備えることを特徴とする電気機器。
【請求項２】
前記固定手段は、
前記板部材を支持するように前記内面から突設してある複数の支持部と、
前記板部材の前記支持部に対応する位置に設けられた複数の貫通孔と、
該貫通孔に挿通されて前記支持部に螺合される複数のネジと
を有する請求項１に記載の電気機器。
【請求項３】
前記板部材が枠形状部を有する請求項１又は２に記載の電気機器。
【請求項４】
前記枠形状部の内側を橋絡する橋絡部を１又は２以上有する請求項３に記載の電気機器。
【請求項５】
前記板部材は導電性材料からなり、前記筐体の内部に収容され、アース端子部を有する通電部材の該アース端子部を前記板部材に接続してある請求項１乃至４のいずれかに記載の電気機器。
【請求項６】
前記板部材は、前記アース端子部と接続するためのアース片部を突設させてある請求項５に記載の電気機器。
【発明の詳細な説明】
【技術分野】
【０００１】
本発明は、プロジェクタ等の電気機器に関する。
【背景技術】
【０００２】
電気機器の中には、機器本体が部屋の天井、壁等に取り付けられて使用されるものがある。例えば、薄型のテレビジョン受信機は壁に掛けられて用いられることがあり、プロジェクタは、天井等に吊り下げられて用いられることが多い。図７は、従来のプロジェクタ３１を示す斜視図、図８は図７のプロジェクタ３１の合成樹脂製のキャビネット３２を内側から見た斜視図である。プロジェクタ３１は直方体状であり、プロジェクタ３１の正面部には、投写レンズ部３３が突設されている。プロジェクタ３１のキャビネット３２の底板３４の内面の略中央部には円筒状の突設部３５，３５，３５，３５が４個、設けられており、各突設部３５には金属製のナットがインサート成型されて固定されている。正面側の突設部３５の間には、ランプドア用ナット突設部３６が設けられており、ナットがインサート成型されている。また、キャビネット３２の一角には、アジャスター用ナット突設部３７が設けられており、ナットがインサート成型されている。
なお、ナットは、熱挿入によるアウトサート成型により固定されていることもある。
【０００３】
取付アダプタ４１は、キャビネット３２の底板３４に当接される平板状の当接部４２，４２と、当接部４２，４２の内側の長辺から起立する立設部４３，４３と、立設部４３，４３を橋絡する橋絡部４４と、橋絡部４４の正面側及び背面側に立設され、図示しない天井取付ユニットに係止される係止部４５，４５とを備える。当接部４２，４２の正面側及び背面側には、当接部４２が底板３４に当接されたときに突設部３５に対向する位置に、ネジ４６を挿通させる貫通孔４２ａ，４２ａが設けられている。底板３４には、突設部３５と同心に貫通孔３４ａ，３４ａが設けられている。
【０００４】
このプロジェクタ３１は、上下を逆にして、取付アダプタ４１の当接部４２をキャビネット３２の底板３４に当接させ、貫通孔４２ａと貫通孔３４ａとを位置合わせして、ネジ４６を貫通孔４２ａ側から挿通させ、突設部３５にインサート成型されたナットに螺合させることにより、キャビネット３２が取付アダプタ４１に取付けられる。
【発明の開示】
【発明が解決しようとする課題】
【０００５】
上述した従来のプロジェクタ３１においては、ナットはインサート成型、又は熱挿入等のアウトサート成型により形成されているので、プロジェクタ３１の廃棄時等に、キャビネット３２から金属製のナットのみを取り外すことが難しく、廃棄するプロジェクタ３１を合成樹脂製部分と金属製部分とに分解するのが困難であり、環境問題の観点から問題であった。また、プロジェクタ３１は、４個のネジ４６により各別に取付アダプタ４１に止められているのみであるので、取付けの強度が弱く、取り外しされやすいため、盗難される可能性があるという問題があった。
なお、このような問題は、プロジェクタに限定されるものではなく、同様の構成の電気機器においても生じていた。
【０００６】
本発明は斯かる事情に鑑みてなされたものであり、合成樹脂製部分と金属製部分とに容易に分解することが出来、外部部材への取付け強度が良好である電気機器を提供することを目的とする。
【課題を解決するための手段】
【０００７】
本発明の電気機器は、合成樹脂製の筐体の内面側に、複数の金属製ナットを配して、外面側から外部部材をネジ止めする電気機器において、前記複数の金属製ナットを一面に固定した板部材と、該板部材を前記内面に固定する固定手段とを備えることを特徴とする。
【０００８】
本発明においては、ナットは板部材に固定されており、ナットが電気機器の内面にインサート成型又はアウトサート成型されている場合と異なり、外部部材をネジ止めしていたネジを外し、固定手段を解除することで、容易にナットが板部材とともに電気機器から分離され得る。従って、合成樹脂製部分と金属製部分とに分けて廃棄することが出来、環境上の問題が発生することがない。また、複数のナットが、板部材を介して繋がっており、回り止めされた状態でネジに螺合されるので、内面の剛性が良好であるとともに外部部材の取付強度が良好であり、取り外されにくく、盗難も防止され得る。
【０００９】
本発明の電気機器は、前記固定手段が、前記板部材を支持するように前記内面から突設してある複数の支持部と、前記板部材の前記支持部に対応する位置に設けられた複数の貫通孔と、該貫通孔に挿通されて前記支持部に螺合される複数のネジとを有することを特徴とする。
【００１０】
本発明においては、タッピングスクリューネジ等のネジにより板部材が支持部にネジ止めされ、板部材が内面へ確実に固定される。
【００１１】
本発明の電気機器は、前記板部材が枠形状部を有することを特徴とする。
本発明においては、内面をより確実に支持することが出来、内面の剛性がより強くなる。
【００１２】
本発明の電気機器は、前記枠形状部の内側を橋絡する橋絡部を１又は２以上有することを特徴とする。
本発明においては、内面の支持がより堅固になり、内面の剛性がより強くなる。
【００１３】
本発明の電気機器は、前記板部材は導電性材料からなり、前記筐体の内部に収容され、アース端子部を有する通電部材の該アース端子部を前記板部材に接続してあることを特徴とする。
本発明においては、板部材が接地部材を兼ね、板部材を介して通電部材が接地される。従って、部材数を低減することが出来る。
【００１４】
本発明は、前記板部材が、前記アース端子部と接続するためのアース片部を突設させてある。
本発明においては、板部材が接地部材を兼ね、板部材を介して通電部材が接地される。
【発明の効果】
【００１５】
本発明によれば、ナットは板部材に固定されており、ナットが電気機器の内面にインサート成型又はアウトサート成型されている場合と異なり、外部部材をネジ止めしていたネジを外し、固定手段を解除することで、容易にナットが板部材とともに電気機器から分離され得る。従って、合成樹脂製部分と金属製部分とに分けて廃棄することが出来、環境上の問題が発生することがない。また、複数のナットが、板部材を介して繋がっており、回り止めされた状態でネジに螺合されるので、内面の剛性が良好であるとともに外部部材の取付強度が良好であり、取り外されにくく、盗難も防止され得る。
【発明を実施するための最良の形態】
【００１６】
以下、本発明をその実施形態を示す図面に基づいて、具体的に説明する。
実施の形態１．
図１は、本発明の実施の形態１に係るプロジェクタ１を示す斜視図、図２は図１のプロジェクタ１のキャビネット２を内側から見た斜視図である。プロジェクタ１は直方体状であり、プロジェクタ１の正面部には、投写レンズ部３が突設されている。プロジェクタ１のキャビネット２は合成樹脂製であり、キャビネット２の底板４の内面の略中央部の正面側には円筒状のナット収納部５，５が設けられており、背面側には円筒状で、キャビネット２の長手方向に縦板が２枚設けられた、ナット収納部６，６が設けられている。正面側のナット収納部５，５間には、ランプドア用ナット収納部７が設けられている。また、キャビネット２の一角には、アジャスター用ナット収納部８が設けられている。ナット収納部５，５間、ナット収納部６，６間、ナット収納部５とナット収納部６との間には、円筒状の固定ネジ挿通部（支持部）９，９，９，９が設けられている。
【００１７】
図３は、ナット固着板金１０をキャビネット２と対向する側から見た斜視図である。矩形枠の一角にＬ字型の突設部１０ａを有した形状を有し、金属製であるナット固着板金１０は、矩形の四隅の裏面側にカシメ固着されたナット１０ｂ，１０ｂ，１０ｂ，１０ｂを備える。ナット固着板金１０の正面側短辺の中央部より端部側には、Ｌ字型の立設部１０ｃが設けられており、立設部１０ｃの平板部にはランプ用ナット１０ｄがカシメ固着されている。突設部１０ａの端部の平板部には、アジャスターナット１０ｅがカシメ固着されている。
【００１８】
ナット固着板金１０の各長辺の中央部には固定ネジ挿通孔１０ｆ，１０ｆが設けられており、各短辺の中央部にも、固定ネジ挿通孔１０ｆ，１０ｆが設けられている。
【００１９】
ナット固着板金１０の正面側のナット１０ｂ，１０ｂがナット収納部５，５に遊嵌され、背面側のナット１０ｂ，１０ｂがナット収納部６，６に遊嵌され、ランプ用ナット１０ｄがランプドア用ナット収納部７に遊嵌され、アジャスターナット１０ｅがアジャスターナット収納部８に遊嵌された状態で、スクリューネジからなる４個の固定ネジ１１が、固定ネジ挿通孔１０ｆに挿通されて、４個の固定ネジ挿通部９にネジ止めされる。これにより、ナット固着板金１０が４個の固定ネジ挿通部９に支持された状態で、ナット固着板金１０が底板４に固定される。
【００２０】
図１に示される取付アダプタ２１は、キャビネット２の底板４に当接される平板状の当接部２２，２２と、当接部２２，２２の内側の長辺から起立する立設部２３，２３と、立設部２３，２３を橋絡する橋絡部２４と、橋絡部２４の正面側及び背面側に立設され、図示しない天井取付ユニットに係止される係止部２５，２５とを備える。当接部２２，２２の正面側及び背面側には、当接部２２が底板４に当接されたときにナット収納部５又は６に対向する位置に、ネジ１２を挿通させる貫通孔２２ａ，２２ａが設けられている。底板４には、ナット収納部５又は６と同心に貫通孔４ａ，４ａが設けられている。
【００２１】
このプロジェクタ１は、上下を逆にし、取付アダプタ２１の当接部２２をキャビネット２の底板４に当接させ、貫通孔２２ａと貫通孔４ａとを位置合わせして、ネジ１２を貫通孔２２ａ側から挿通させ、ナット収納部５又は６に遊嵌されたナット１０ｂに螺合させることにより、キャビネット２が取付アダプタ２１に取付けられる。図４は、ネジ１２がナット収納部５に遊嵌されたナット１０ｂに螺合される状態が示された拡大断面図である。
ランプ用ナット１０ｄ及びアジャスターナット１０ｅは、キャビネット２の底板４に外側からネジ止めされている（図示せず）。
【００２２】
本実施形態においては、ナット１０ｂはナット固着板金１０に固着されており、ナット１０ｂがプロジェクタ１の内面の突設部にインサート成型又はアウトサート成型されている場合と異なり、ネジ１２を外してキャビネット２を取付アダプタ２１から外し、固定ネジ１１を外すことで、ナット１０ｂが、容易にナット固着板金１０とともにキャビネット２の内面から分離され得る。従って、合成樹脂製のキャビネット２と金属製のナット固着板金１０とに分けて廃棄することが出来、環境上の問題が発生することがない。
また、複数のナット１０ｂが、ナット固着板金１０を介して繋がっており、回り止めされた状態でネジ１２に螺合されるので、キャビネット２の内面の剛性が良好であるとともに、取付アダプタ２１への取付強度が良好であり、キャビネット２が取付アダプタ２１から取り外されにくく、盗難も防止され得る。
【００２３】
なお、本実施形態においては、本発明をプロジェクタに適用した場合につき説明しているがこれに限定されるものではなく、他の電気機器にも適用され得る。また、ナット１０ｂがナット固着板金１０にカシメ固着されている場合に限定されず、ナット１０ｂは溶接によりナット固着板金１０に固定されるものであってもよい。
また、本実施形態においては、ナット固着板金１０を固定ネジ１１によりキャビネット２の固定ネジ挿通部９にネジ止めして固定する場合につき説明しているがこれに限定されるものではなく、ナット固着板金１０を係止爪等によりキャビネット２の内面に固定することにしてもよい。
そして、ナット固着板金１０は矩形枠状部を有する場合に限定されず、ナット固着板金１０は正面側と背面側とに二分されているものであってもよい。但し、矩形枠状部を有する方が、キャビネット２の内面が堅固に支持され得る。
さらに、ナット固着板金１０は金属製のものに限定されず、他の導電性材料から構成されるものであってもよい。
【００２４】
実施の形態２．
図５は、本発明の実施の形態２に係るナット固着板金１０の一部を示す斜視図である。図中、図１と同一部分は同一符号を付してある。
【００２５】
キャビネット２内に配された電源ユニット１３の一端面の底面側端部には、アース端子部１３ａが突設されており、アース端子部１３ａの中央部には、貫通孔１３ｂが設けられている。
【００２６】
本実施形態においては、アース端子部１３ａの貫通孔１３ｂをナット固着板金１０の１辺の中央部に設けられた貫通孔１０ｆに合わせて、固定ネジ１１により底板４の固定ネジ挿通部９に共締めされる。
【００２７】
本実施形態においては、ナット固着板金１０を介して電源ユニット１３が接地され、ナット固着板金１０が接地部材を兼ねるので、部材数を減じることが出来る。なお、ナット固着板金１０を介して接地される部材は電源ユニット１３に限定されず、光学ユニット等の他の通電部材でもよい。
【００２８】
実施の形態３．
図６は、本発明の実施の形態３に係るナット固着板金１０のキャビネット２と対向する側から見た斜視図である。図中、図１と同一部分は同一符号を付してある。
【００２９】
本実施形態のナット固着板金１０は、矩形枠状部の内側に十文字に橋絡された橋絡部１０ｇ，１０ｇを備えている。また、矩形の一角に逆Ｌ字型のアース片部１０ｈが突設されており、アース片部１０ｈの端部には貫通孔１０ｉが設けられている。
【００３０】
本実施形態においては、電源ユニット１３等の通電部材は、そのアース端子部１３ａに設けられた貫通孔１３ｂをアース片部１０ｈの貫通孔１０ｉに合わせて、固定ネジ１１により固定ネジ挿通部９に共締めされる。
【００３１】
本実施形態においては、ナット固着板金１０を介して通電部材が接地され、ナット固着板金１０が接地部材を兼ねるので、部材数を減じることが出来る。また、橋絡部１０ｇ，１０ｇを有するので、底板４の剛性がさらに強くなる。
【００３２】
なお、本実施形態においては、ナット固着板金１０の矩形枠状部の内側に十文字に橋絡部１０ｇ，１０ｇを設けた場合につき説明しているがこれに限定されるものではなく、橋絡部は対角線状に配してもよく、また、橋絡部の個数も２個に限定されない。
【図面の簡単な説明】
【００３３】
【図１】本発明の実施の形態１に係るプロジェクタを示す斜視図である。
【図２】図１のプロジェクタのキャビネットを内側から見た斜視図である。
【図３】ナット固着板金をキャビネットと対向する側から見た斜視図である。
【図４】ネジがナット収納部に遊嵌されたナットに螺合される状態が示された拡大断面図である。
【図５】本発明の実施の形態２に係るナット固着板金の一部を示す斜視図である。
【図６】本発明の実施の形態３に係るナット固着板金をキャビネットと対向する側から見た斜視図である。
【図７】従来のプロジェクタを示す斜視図である。
【図８】図７のプロジェクタのキャビネットを内側から見た斜視図である。
【符号の説明】
【００３４】
１  プロジェクタ
２  キャビネット
３  投写レンズ部
４  底板
５、６  ナット収納部
７  ランプドア用ナット収納部
８  アジャスター用ナット収納部
９  固定ネジ挿通部
１０  ナット固着板金
１０ａ  突設部
１０ｂ  ナット
１０ｃ  立設部
１０ｄ  ランプ用ナット
１０ｅ  アジャスターナット
１０ｆ  貫通孔
１１  固定ネジ
１２  ネジ
１３  電源ユニット
１３ａ  アース端子部
１３ｂ  貫通孔
２１  取付アダプタ
【図１】
2007114408.tif 000003
【図２】
2007114408.tif 000004
【図３】
2007114408.tif 000005
【図４】
2007114408.tif 000006
【図５】
2007114408.tif 000007
【図６】
2007114408.tif 000008
【図７】
2007114408.tif 000009
【図８】
2007114408.tif 000010